(57)【要約】【課題】電線接続部が収容され、且つ、電線が外部に引き出されたブロックを被うものにあって、簡単な構造で、ブロック内の防水・防塵を図るカバーを提供する。【解決手段】電線接続部が収容され、且つ、電線Ｗ１，Ｗ２，Ｗ３が外部に引き出されたブロック１を被うカバー１０であって、互いの開口側を塞ぐように組み付けされる一対の下側及び上側分割カバー体１１、１６より形成され、一対の下側及び上側分割カバー体１１、１６の組み付け状態では、内部に収容されたブロック１の外面との間に、カバー設置状態で下面となる面に向かって水が流れる隙間１４が形成された。【選択図】図４
2015146706.tif 000002
【特許請求の範囲】
【請求項１】
電線接続部が収容され、且つ、前記電線が外部に引き出されたブロックを被うカバーであって、
互いの開口側を塞ぐように組み付けされる一対の分割カバー体より形成され、
一対の前記分割カバー体の組み付け状態では、内部に収容された前記ブロックの外面との間に、カバー設置状態で下面となる面に向かって水が流れる隙間が形成されたことを特徴とするカバー。
【請求項２】
請求項１記載のカバーであって、
カバー設置状態で下面となる箇所に水抜き孔が形成されたことを特徴とするカバー。
【請求項３】
請求項１又は請求項２記載のカバーであって、
各分割カバー体は、前記ブロックが収容されるカバー本体と、互いに組み付けされた状態で電線口が形成され、前記電線口より前記電線が外部に引き出される電線引出部とを有することを特徴とするカバー。
【請求項４】
請求項３記載のカバーであって、
前記電線引出部には、前記電線口に開口されたスリットが形成されていることを特徴とするカバー。
【発明の詳細な説明】
【技術分野】
【０００１】
本発明は、外部に電線が引き出されたブロックの防水・防塵を行うカバーに関する。
【背景技術】
【０００２】
この種の従来のカバーとして特許文献１に開示されたものがある。このカバー５０は、図７に示すように、ヒンジ部５１で連結された一対の分割カバー体５２，５３より形成されている。各分割カバー体５２，５３は、部品収容室５４を囲むように突き合わせ面５２ａ，５３ａを有する。各分割カバー体５２，５３には、各突き合わせ面５２ａ，５３ａに沿ってゴム部５５が付設されている。部品収容室５４には、電線接続部（図示せず）が収容され、且つ、各電線Ｗが外部に引き出されたブロック６０が収容されている。
【０００３】
一対の分割カバー体５２，５３は、互いの突き合わせ面５２ａ，５２ａ同士が突き合わされる組み付け状態では、互いのゴム部５５同士が密着すると共に、電線引出箇所では、ゴム部５５が各電線Ｗの外周に密着する。
【０００４】
又、他の従来例として、突き合わせ面の内周側に隔壁部を形成したものも提案されている（特許文献２参照）。
【０００５】
これら従来例では、内部への水等の侵入自体を防止するため、ブロック６０内より例えば電線Ｗの導体ｗ１が露出された状態でも防水・防塵を図ることができる。
【先行技術文献】
【特許文献】
【０００６】
【特許文献１】特開２０１０−２８８４０７号公報
【特許文献２】特開平１１−２１４０５３号公報
【発明の概要】
【発明が解決しようとする課題】
【０００７】
しかしながら、前記各従来例では、各分割カバー体５２，５３にゴム部５５を付設したり、隔壁部を形成したりしなければならないため、構造が複雑であるという問題があった。
【０００８】
そこで、本発明は、前記した課題を解決すべくなされたものであり、電線接続部が収容され、且つ、電線が外部に引き出されたブロックを被うものにあって、簡単な構造で、ブロック内の防水・防塵を図ることができるカバーを提供することを目的とする。
【課題を解決するための手段】
【０００９】
本発明は、電線接続部が収容され、且つ、前記電線が外部に引き出されたブロックを被うカバーであって、互いの開口側を塞ぐように組み付けされる一対の分割カバー体より形成され、一対の前記分割カバー体の組み付け状態では、内部に収容された前記ブロックの外面との間に、カバー設置状態で下面となる面に向かって水が流れる隙間が形成されたことを特徴とするカバーである。
【００１０】
カバー設置状態で下面となる箇所に水抜き孔が形成されることが好ましい。各分割カバー体は、前記ブロックが収容されるカバー本体と、互いに組み付けされた状態で電線口が形成され、前記電線口より前記電線が外部に引き出される電線引出部とを有するものであっても良い。前記電線引出部には、前記電線口に開口されたスリットが形成されることが好ましい。
【発明の効果】
【００１１】
本発明によれば、ブロック内は、ブロック自体の外装ケースとこれを被うカバーによって二重に被われているため、外部からの水がブロックに直接掛かることがない。しかも、カバー内に侵入した水等は、カバーの内面とブロックの外面の隙間より自重によって移動し、ブロック内に入り込むことを極力防止できる。このように、カバーの各分割カバー体は、内部に水等が侵入しないような構造とする必要がないため、簡単な構造で、ブロック内の防水・防塵を図ることができるカバーを提供できる。
【図面の簡単な説明】
【００１２】
【図１】本発明の一実施形態を示し、ブロックを収容したカバーの分解斜視図である。
【図２】本発明の一実施形態を示し、（ａ）は、ブロックを収容したカバーの組み付け状態の斜視図、（ｂ）は（ａ）とは反対側から見た、ブロックを収容したカバーの組み付け状態の斜視図である。
【図３】本発明の一実施形態を示し、ブロックを収容したカバーの底面図である。
【図４】本発明の一実施形態を示し、（ａ）はブロックを収容したカバーの破断斜視図、（ｂ）はブロックを収容したカバーの断面図である。
【図５】本発明の一実施形態を示し、（ａ）は電線引出部の上面図、（ｂ）は電線引出部からの電線が２本の電線束である場合を示す図、（ｃ）は電線引出部からの電線が１本の電線束である場合を示す図である。
【図６】本発明の一実施形態を示し、下側分割カバー体内にブロックと電線を収容した状態を示す斜視図である。
【図７】従来例を示し、ブロックと電線を内部にセットしたカバーの組み付け前の状態を示す図である。
【発明を実施するための形態】
【００１３】
以下、本発明の一実施形態を図面に基づいて説明する。
【００１４】
図１〜図６は本発明の一実施形態を示す。図１〜図４に示すように、ブロック１は、外装ケース２を有する。外装ケース２は、互いに組み付けされた一対の分割ケース部２ａ，２ｂより形成されている。一対の分割ケース部２ａ，２ｂは、互いに突き合わせ面が突き合わされ、複数の係止ロック部３によってロックされている。
【００１５】
外装ケース２内には、電線Ｗ１，Ｗ２，Ｗ３に接続部（図示せず）が収容されている。電線接続部は、例えばＬＡ端子、電子部品等を有し、これらによって所望の回路（例えば、分岐回路）が構成されている。このようにブロック１が構成されている。従って、ブロック１は、内部に電線接続部（図示せず）が収容され、且つ、電線Ｗ１，Ｗ２，Ｗ３が外部に引き出されているが、防水・防塵構造ではない。
【００１６】
電線Ｗ１，Ｗ２，Ｗ３は、ブロック１から外部に引き出されている。電線Ｗ１，Ｗ２，Ｗ３は、それぞれ電線束より形成されている。電線Ｗ１と電線Ｗ２は、ブロック１の一方側より引き出されている。電線Ｗ１は、電線Ｗ２より外径寸法が大径である。電線Ｗ３は、ブロック１の他方側より引き出されている。
【００１７】
カバー１０は、ブロック１とこのブロック１より引き出された各電線Ｗ１，Ｗ２，Ｗ３の引出箇所を被っている。カバー１０は、一対の分割カバー体である下側分割カバー体１１と上側分割カバー体１６から形成されている。各分割カバー体１１，１６は、ブロック１が収容されるカバー本体１１ａ，１６ａと、カバー本体１１ａ，１６ａに一体に設けられ、電線Ｗ１，Ｗ２，Ｗ３を外部に引き出す電線引出部１１ｂ、１６ｂとを有する。
【００１８】
上方が開口された下側分割カバー体１１と下方が開口とされた上側分割カバー体１６は、互いの開口側を塞ぐように組み付けされている。具体的には、下側分割カバー体１１と上側分割カバー体１６の側部１２，１７同士は、互いに重なる合うようにして組み付けされている。上側分割カバー体１６の側部１７の下端面は、下側分割カバー体１１の突出壁１３に当接されている。このように、下側分割カバー体１１と上側分割カバー体１６の側部１２，１７同士がオーバーラップしているので、外部の水が双方の突き合わせ面を介して内部に侵入する際の経路が長く形成されている。
【００１９】
図４（ａ）、（ｂ）に示すように、下側分割カバー体１１及び上側分割カバー体１６の組み付け状態では、内部に収容されたブロック１の外面との間には、カバー設置状態で下面となる面に向かって水が流れるための隙間１４が形成されている。隙間１４は、ブロック１の係止ロック部３の一部をスペーサとして利用する等して形成されている。隙間１４は、どの位置から侵入した水等であっても下方に導かれるようにブロック１の全方向の側面との間に形成されている。カバー設置状態で下面となる下側分割カバー体１１の箇所には、水抜き孔１５が形成されている。下側分割カバー体１１の下面は、高さが２段となっており、この双方の高さの箇所に水抜き孔１５がそれぞれ形成されている。
【００２０】
左右の各電線引出部１１ｂ、１６ｂの先端には、下側分割カバー体１１と上側分割カバー体１６が互いに組み付けされた状態で電線口１８ａ，１８ｂが形成される。一方の電線口１８ａの開口面積は、図５（ｂ）に示すように、２本の電線Ｗ１，Ｗ２が引き出されるトータル断面積とほぼ同じ若しくは若干だけ大きく形成されている。他方の電線口１８ｂの開口面積は、１本の電線Ｗ１が引き出される断面積とほぼ同じ若しくは若干だけ大きく形成されている。各電線引出部１６ｂには、電線口１８ａ，１８ｂに開口されるスリット１９がそれぞれ形成されている。一方の電線引出部１６ｂのスリット１９は、図５（ａ）、（ｂ）に詳しく示すように、小径束の電線Ｗ２の引出領域の上方に形成されている。
【００２１】
次に、カバー１０のブロック１への組み付け手順を簡単に説明する。先ず、図６に示すように、下側分割カバー体１１の内部にブロック１を収容し、下側分割カバー体１１の一方の電線引出部１１ｂ上に各電線Ｗ１，Ｗ２を、他方の電線引出部１１ｂ上に電線Ｗ３をそれぞれ載置する。そして、一方の電線引出部１１ｂと２本の電線Ｗ１，Ｗ２を一体として拘束テープ（図示せず）を巻き付け、固定する。他方の電線引出部１１ｂと１本の電線Ｗ３を一体として拘束テープ（図示せず）を巻き付け、固定する。拘束テープ（図示せず）は、スリット１９を塞ぐように巻き付ける。
【００２２】
次に、下側分割カバー体１１の上方から上側分割カバー体１６を被せる（図１（ａ）、（ｂ）参照）。これにより、ブロック１の上方がカバー１０で覆われる。又、下側分割カバー体１１の電線引出部１１ｂより露出された拘束テープ箇所が上側分割カバー体１６の電線引出部１６ｂで被われる。そして、一方の上下の電線引出部１１ｂ、１６ｂと２本の電線Ｗ１，Ｗ２を一体として拘束テープ（図示せず）を巻き付け、固定する。他方の上下の電線引出部１１ｂ，１６ｂと１本の電線Ｗ３を一体として拘束テープ（図示せず）を巻き付け、固定する。拘束テープ（図示せず）は、スリット１９を塞ぐように巻き付ける。以上で、完了する。尚、拘束テープ（図示せず）に替えて結束バンドを使用しても良い。
【００２３】
このように組み付けされたカバー１０は、電線接続部（図示せず）が収容され、且つ、電線Ｗ１，Ｗ２，Ｗ３が外部に引き出されたブロック１を被い、互いの開口側を塞ぐように組み付けされる一対の下側分割カバー体１１及び上側分割カバー体１６より形成され、一対の下側分割カバー体１１及び上側分割カバー体１６の組み付け状態では、内部に収容されたブロック１の外面との間に、カバー設置状態で下面となる面に向かって水が流れる隙間１４が形成されている。従って、ブロック１内は、ブロック１自体の外装ケース２とこれの外周を被うカバー１０によって二重に被われる。外部からの水がブロック１に直接に掛かるのをカバー１０が阻止するため、外部からの水がブロック１に直接掛かることがない。しかも、カバー１０内に侵入した水等は、図４（ａ）、（ｂ）にて矢印で示すように、カバー１０の内面とブロック１の外面の隙間１４より自重によって下方に流れ、ブロック１内に入り込むことを極力防止できる。このように、カバー１０を、内部に水等が侵入しないような構造（防水・防塵構造）とする必要がないため、簡単な構造で、ブロック１内の防水・防塵を図ることができるカバー１０を提供できる。
【００２４】
又、カバー１０は、防水構造ではないブロックに対して後付けでも組み付けできるため、ブロック１を後付けで防水・防塵構造にできる。
【００２５】
カバー１０は、カバー設置状態で下面となる箇所に水抜き孔１５が形成されている。従って、カバー１０の下面へと移動した水等は、図４（ａ）、（ｂ）にて矢印で示すように、即座に水抜き孔１５より外部に排出されるため、ブロック１内の防水・防塵性が向上する。
【００２６】
電線引出部１１ｂ，１６ｂには、電線口１８ａ，１８ｂに開口されたスリット１９が形成されている。各電線口１８ａ，１８ｂの面積が電線Ｗ１，Ｗ２のトータル断面積、又は、電線Ｗ３の断面積より大きい場合には、拘束テープ（図示せず）の締結力によって電線口１８ａ，１８ｂの面積を電線Ｗ１，Ｗ２（Ｗ３）の断面積に合わせることができる。これにより、電線Ｗ１，Ｗ２（Ｗ３）を、電線引出部１１ｂ，１６ｂの内面との間に隙間を開けることなく引き出すことができるため、防水・防塵性の向上になる。
【００２７】
また、一方の電線引出部１８ａより引き出す電線Ｗ１が１本に変更する場合には、図５（ｃ）に示すように、拘束テープ（図示せず）の締結力によって電線口１８ａの面積を電線Ｗ１の断面積に合わせることができる。これにより、引き出す電線Ｗ１の本数が少なくなる場合（又は、電線のトータル断面積が小さくなる場合）でも、電線引出部１８ａの内面との間に隙間を開けることなく引き出すことができる。
【００２８】
下側分割カバー体１１と上側分割カバー体１６の側部１２，１７同士は、互いに重なる合うようにして組み付けされている。従って、下側分割カバー体１１と上側分割カバー体１６の突き合わせ面から水等が内部に入り難いため、防水・防塵性が向上する。
【００２９】
この実施形態では、各電線引出部１６ａのスリット１９は、１本であるが、複数本であっても良い。
【００３０】
この実施形態では、本発明のカバー１０は、非防水・非防塵構造のブロック１を被うものに適用しているが、防水・防塵構造のブロックを被うものに適用しても良く、このようにすれば、ブロックの防水・防塵性の向上を図るカバー１０として使用できる。
【符号の説明】
【００３１】
１  ブロック
１０  カバー
１１  下側分割カバー体（分割カバー体）
１１ｂ  電線引出部
１４  隙間
１５  水抜き孔
１６  上側分割カバー体（分割カバー体）
１６ｂ  電線引出部
１８ａ，１８ｂ  電線口
１９  スリット
【図１】
2015146706.tif 000003
【図２】
2015146706.tif 000004
【図３】
2015146706.tif 000005
【図４】
2015146706.tif 000006
【図５】
2015146706.tif 000007
【図６】
2015146706.tif 000008
【図７】
2015146706.tif 000009